(57)【要約】【課題】ピクセルマッピングのための特別な操作を要せず、しかも撮影動作や再生動作に影響を与えることのない撮像装置を提供すること。【解決手段】撮像素子（１２）と、外部装置と通信を行うための通信手段（３５，３６）とを備えた撮像装置であって、前記外部装置が前記通信手段に接続されたことを検出する接続検出手段（３６）と、前記接続検出手段による接続検出の結果に応じて、前記撮像素子の固定パターンノイズデータの取得動作を開始するための指示をする指示手段（４５）と、前記指示手段の指示に基づいて、前記撮像素子の固定パターンノイズデータを取得する取得手段（４５）と、前記指示手段による動作で得られた固定パターンノイズデータを新たなパターンノイズデータとして記憶する記憶手段（４３）とを備えた。【選択図】  図１
2004193969.tif 000002
【特許請求の範囲】
【請求項１】
撮像素子と、外部装置と通信を行うための通信手段とを備えた撮像装置であって、
前記外部装置が前記通信手段に接続されたことを検出する接続検出手段と、
前記接続検出手段による接続検出の結果に応じて、前記撮像素子の固定パターンノイズデータの取得動作を開始するための指示をする指示手段と、
前記指示手段の指示に基づいて、前記撮像素子の固定パターンノイズデータを取得する取得手段と、
前記指示手段による動作で得られた固定パターンノイズデータを新たなパターンノイズデータとして記憶する記憶手段とを具備することを特徴とする撮像装置。
【請求項２】
請求項１に記載の撮像装置において、前記指示手段は、前記取得手段による固定パターンノイズデータを取得するための撮影動作終了後に通信確立の指示を行うことを特徴とする撮像装置。
【請求項３】
請求項１に記載の撮像装置において、前記指示手段による固定パターンノイズデータの取得動作を開始した後は、その後の接続検出の結果に関わらず、前記取得手段は、固定パターンノイズデータを取得することを特徴とする撮像装置。
【請求項４】
請求項１に記載の撮像装置において、前記取得手段による固定パターンノイズデータの取得動作中に特定の命令があった時には、固定パターンノイズデータの取得を中断することを特徴とする撮像装置。
【請求項５】
撮像素子と、挿脱可能であり画像データを記録可能かつ読み出し可能な記録媒体とを備えた撮像装置であって、
前記撮像素子で撮像された画像データを一時記憶する記憶手段と、
外部装置と通信を行うための通信手段と、
前記外部装置が前記通信手段に接続されたことを検出する接続検出手段と、
前記記憶手段が接続された第１のバスラインと、
前記通信手段と前記記録媒体が接続された第２のバスラインと、
前記接続検出手段による検出結果に基づいて前記撮像素子の固定パターンノイズデータの取得動作のための撮影データを前記第１のバスラインを経由して前記記憶手段に一時記憶する第１の制御と、前記記録媒体に記録された画像データを前記第２のバスラインを経由して前記外部装置に読み出す第２の制御とを並列的に実行する制御手段とを具備することを特徴とする撮像装置。
【請求項６】
請求項１又は請求項５に記載の撮像装置において、前記接続検出手段による接続の告知と前記記憶手段へ取得された固定パターンノイズデータの記憶の告知とを行う告知手段を更に具備することを特徴とする撮像装置。
【請求項７】
請求項１又は請求項５に記載の撮像装置において、前記記憶手段へ取得された固定パターンノイズデータの記憶動作がなされている間は、前記接続検出手段による検出結果に関わらず、継続して告知する告知手段を更に具備することを特徴とする撮像装置。
【請求項８】
撮像素子と、外部装置と通信を行うための通信手段とを備えた撮像装置であって、
前記外部装置との接続が確立した状態において、前記外部装置から特定の要求を受け付けた時に、前記撮像素子に対して固定パターンノイズの取得動作の開始を指示する指示手段と、
前記指示手段の指示に基づいて、前記撮像素子の固定パターンノイズデータを取得する取得手段と、
前記取得手段による取得動作で得られた固定パターンノイズを新たなノイズデータとして記憶する記憶手段とを具備することを特徴とする撮像装置。
【請求項９】
撮像素子と、外部装置と通信を行うための通信手段とを備えた撮像装置であって、
前記外部装置と前記通信手段との接続が断たれたことを検出する接続断検出手段と、
前記接続断検出手段で接続断を検出した後に、前記撮像素子の固定パターンノイズデータの取得動作を開始するための指示をする指示手段と、
前記指示手段の指示に基づいて、前記撮像素子の固定パターンノイズデータを取得する取得手段と、
前記取得手段による取得動作で得られた固定パターンノイズを新たなノイズデータとして記憶する記憶手段とを具備することを特徴とする撮像装置。
【発明の詳細な説明】
【０００１】
【発明の属する技術分野】
本発明は、例えば、ＣＣＤ等の撮像素子を用いた撮像装置に関する。
【０００２】
【従来の技術】
ＣＣＤ等の撮像素子を備えた撮像装置において、撮像装置の電源オン後に自動的に、或いは専用モードを選択した時に、撮像素子の欠陥位置の検出動作を行う方法（以下、本明細書においては、この欠陥位置検出動作を「ピクセルマッピング」や「欠陥検出記録」等と称する場合もある）が知られている（特開２００１−５７６５６参照）。
【０００３】
しかし、上記の方法においては、例えば、電源オン後に自動的にピクセルマッピングを行う場合や電池装着時に自動的にピクセルマッピングを行う場合には、特別な操作を要せずにピクセルマッピングを行うので、特別な操作は不要になるものの、すぐに撮影や再生に係る動作を行いたくても、例えば数秒間待たされることになるので、使い勝手が悪い。また、専用モードを選択する方法では、ピクセルマッピングを行う際に、いちいち操作が必要になるため、煩わしく、ピクセルマッピングを忘れることがある。
【０００４】
【発明が解決しようとする課題】
本発明は、ピクセルマッピングのための特別な操作を要せず、しかも撮影動作や再生動作に影響を与えることのない撮像装置を提供することを目的とする。
【０００５】
【課題を解決するための手段】
本発明の第１の局面に係る撮像装置は、撮像素子と、外部装置と通信を行うための通信手段とを備えた撮像装置であって、前記外部装置が前記通信手段に接続されたことを検出する接続検出手段と、前記接続検出手段による接続検出の結果に応じて、前記撮像素子の固定パターンノイズデータの取得動作を開始するための指示をする指示手段と、前記指示手段の指示に基づいて、前記撮像素子の固定パターンノイズデータを取得する取得手段と、前記指示手段による動作で得られた固定パターンノイズデータを新たなパターンノイズデータとして記憶する記憶手段とを具備することを特徴とする。
【０００６】
本発明の第２の局面に係る撮像装置は、撮像素子と、挿脱可能であり画像データを記録可能かつ読み出し可能な記録媒体とを備えた撮像装置であって、前記撮像素子で撮像された画像データを一時記憶する記憶手段と、外部装置と通信を行うための通信手段と、前記外部装置が前記通信手段に接続されたことを検出する接続検出手段と、前記記憶手段が接続された第１のバスラインと、前記通信手段と前記記録媒体が接続された第２のバスラインと、前記接続検出手段による検出結果に基づいて前記撮像素子の固定パターンノイズデータの取得動作のための撮影データを前記第１のバスラインを経由して前記記憶手段に一時記憶する第１の制御と、前記記録媒体に記録された画像データを前記第２のバスラインを経由して前記外部装置に読み出す第２の制御とを並列的に実行する制御手段とを具備することを特徴とする。
【０００７】
本発明の第３の局面に係る撮像装置は、撮像素子と、外部装置と通信を行うための通信手段とを備えた撮像装置であって、前記外部装置との接続が確立した状態において、前記外部装置から特定の要求を受け付けた時に、前記撮像素子に対して固定パターンノイズの取得動作の開始を指示する指示手段と、前記指示手段の指示に基づいて、前記撮像素子の固定パターンノイズデータを取得する取得手段と、前記取得手段による取得動作で得られた固定パターンノイズを新たなノイズデータとして記憶する記憶手段とを具備することを特徴とする。
【０００８】
本発明の第４の局面に係る撮像装置は、撮像素子と、外部装置と通信を行うための通信手段とを備えた撮像装置であって、前記外部装置と前記通信手段との接続が断たれたことを検出する接続断検出手段と、前記接続断検出手段で接続断を検出した後に、前記撮像素子の固定パターンノイズデータの取得動作を開始するための指示をする指示手段と、前記指示手段の指示に基づいて、前記撮像素子の固定パターンノイズデータを取得する取得手段と、前記取得手段による取得動作で得られた固定パターンノイズを新たなノイズデータとして記憶する記憶手段とを具備することを特徴とする。
【０００９】
【発明の実施の形態】
図面を参照して本発明の実施の形態を説明する。図１は、本発明に係る電子カメラ（以下、単に「カメラ」と称する場合もある）の構成例を示したブロック図である。
【００１０】
図１において、レンズ１１ａとシャッタ１１ｂを含む撮影レンズ系１１を通過した被写体の光学像は、例えばＣＣＤからなる撮像素子１２で電気信号に変換され、撮像回路１３でアナログ画像信号に変換される。このアナログ画像信号はＡ／Ｄ変換器１４でデジタル画像信号（以下、「画像情報」とも称する）に変換されて、一旦、揮発性の内蔵メモリ２５に記憶される。この内蔵メモリ２５は、高速な、例えばＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）であり、後述する画像処理用のワークエリアとしても使用される。
【００１１】
圧縮伸長回路２２は、図示しない公知の画像処理回路で、内蔵メモリ２５に一時記憶された画像情報の色情報の変換処理、画素数変換などの画像処理を受けた画像情報を、例えばＪＰＥＧ圧縮したり、圧縮された画像情報を伸長したりする。
【００１２】
圧縮伸長回路２２で圧縮された画像情報は一旦ＩＦ用のバッファメモリ２６に格納される。そして、インターフェース２１（ＩＦ）を介してスマートメディア等の着脱メモリ２０に記録される。
【００１３】
また、撮影画像を表示する場合には、圧縮伸長回路２２で伸長された画像情報に画像処理を施した後に、当該画像情報を一旦ビデオメモリ３１に記憶して、ビデオ出力回路３２でビデオ出力信号に変換した後に、画像表示ＬＣＤ３０に表示する。また、ビデオメモリ３１からの出力は、外部ビデオ信号出力端子３３にも出力される。この外部ビデオ信号出力端子３３に接続された図示しない外部モニタなどに画像を表示することができる。
【００１４】
また、着脱メモリ２０に記録された画像を表示する場合には、着脱メモリ２０から読み出された画像情報は圧縮伸長回路２２で伸長されて、例えば、画像処理回路で所定の画像処理がなされた後に、撮影の場合と同様にして、画像表示ＬＣＤ３０に画像が表示される。
【００１５】
システムコントローラ４５（以下、「シスコン」と称する）は、フラッシュメモリ等の不揮発性メモリ４３から電子カメラの基本制御プログラムを読み出して電子カメラ全体の制御を行う。
【００１６】
シスコン４５は、操作部４６（図示しないレリーズボタンや十字キー等を含む）からの入力を受け付けて、その入力に応じた制御を行う。また、シスコン４５は、電源部４７を制御して電子カメラ全体の電源管理も行っている。更に、シスコン４５は、図示しないレンズ等駆動回路を介して撮影レンズ系１１を駆動制御する。具体的には、シスコン４５は、それぞれ、レンズ１１ａ（ズームレンズ及びフォーカスレンズ）及びシャッタ１１ｂの駆動制御を行う。このシスコン４５による制御によって、ズームレンズは、図示しないズームレバーにより、被写体の拡大を行う。フォーカスレンズは、焦点調整を行う。また、図示しない絞りは、図示しないＡＥ回路からの出力や十字キーによる設定に応じて開口部の大きさを変えることによってＦ値を調整する。シャッタ１１ｂは、撮影レンズ系からの光を遮光する。
【００１７】
また、シスコン４５は、モードＬＣＤ４１に現在のカメラの状態（例えば、撮影モードや再生モード等のモード表示）を行ったり、ＡＥ回路からの信号に基づいて、露光が不足している場合に、ストロボを発光させるストロボ発光部４２のオンオフの制御を行ったりする。
【００１８】
更に、本発明に係る撮像装置は、例えば、ＵＳＢ（Ｕｎｉｖｅｒｓａｌ  Ｓｅｒｉａｌ  Ｂｕｓ）や、シリアルインターフェース、又はＩＥＥＥの規格に準拠したインターフェース等の外部インターフェース３６(以下、「外部ＩＦ」と称する)を介して外部装置と通信可能になっており、外部装置接続端子３５を介して、外部装置に接続される。この場合において、通常撮像装置が外部ＩＦ３６を介して、例えばパーソナルコンピュータ等の外部装置と接続された場合には、撮像装置は、パーソナルコンピュータからストレージデバイスとして認識される。
【００１９】
上記のように構成された本発明の実施形態に係る撮像装置を説明する。
図２は、本発明の第１の実施形態に係る撮像装置の動作を示すフローチャートである。なお、以降の説明において、カメラに接続される外部装置は、パーソナルコンピュータ（以下、「ＰＣ」と称する）や表示装置、印刷装置などの出力装置など装置であって、カメラをストレージ（すなわち、外部記憶装置）として取り扱うことのできる機器を全て含むが、以下の説明においてはパーソナルコンピュータであるものとする。まず、図２（ａ）において、ＰＣとカメラ間の接続検出が行われる（ステップＡ１）。そして、詳細は後述するＰＣとカメラ間の接続時の処理を行う（ステップＡ２）。ＰＣ−カメラ間の接続時の処理が終了したら、ＰＣ−カメラ間の接続中の処理と並行して、ピクセルマッピングの解析処理を行う（ステップＡ３）。
【００２０】
ステップＡ２におけるＰＣ−カメラ間の接続時処理は、次のように行われる（図２（ｂ）参照）。まず、カメラの内部の初期化が行われた後に（ステップＡ２１）、ピクセルマッピング用の撮影が行われる（ステップＡ２２）。続いて、ＰＣには、カメラが接続された旨のアイコンが表示される（ステップＡ２３）。
【００２１】
また、続いて、図２（c）に示すような、ピクセルマッピング解析処理（図２（ａ）のステップＡ３）が行われる。詳細はそれぞれ後述するＰＣ−カメラ接続中処理と（ステップＡ３１）、ＰＣ−カメラ切断後処理が行われる（ステップＡ３２）。上記においては、ステップＡ２３で、ＰＣにカメラが接続された旨のアイコンを表示したが、接続検出、接続時の処理、すなわち、カメラ内部の初期化、ピクセルマッピング用の撮影に関連して、或いは、各動作を通知するように告知をしても良い。
【００２２】
図３を参照して、図２（ｃ）のステップＡ３１におけるＰＣ−カメラ接続中処理を説明する。ＰＣ−カメラ接続中処理においては、カメラは、ＰＣから見るとストレージとして機能するが、一方、本発明においては、ＰＣ−カメラ接続中処理中にピクセルマッピング解析処理を行うようにしている。まず、図３を参照して、ピクセルマッピング解析処理の流れから説明する。
【００２３】
ＰＣとカメラの接続が検出されると、欠陥検出記録処理が開始される（ステップＡ３１１）。ここで、動作モードが撮影モードに変更されたかどうかを検出する（ステップＡ３１２）。ステップＡ３１２において、撮影モードでなければ、欠陥検出記録処理が終了するまで、ピクセルマッピングを実行する（ステップＡ３１３）。なお、ステップＡ３１２において、動作モードが撮影モードに変更されたことを検出した場合には、ピクセルマッピングを中断して、ピクセルマッピング解析処理を終了する（ステップＡ３１４）。
【００２４】
次に、図４を参照して、カメラがストレージとして機能する場合におけるフローチャートを説明する。
【００２５】
ＵＳＢ等の通信手段によって、カメラがＰＣと接続された場合には、カメラはストレージとして機能する。なお、以下の説明においては、簡単化のため通信手段がＵＳＢであるものとして説明する。この場合において、まず、カメラは、ＵＳＢによるデータ通信があるかどうか判定する（ステップＡ３１５）。そして、ＵＳＢによるデータ通信がある場合には、ストレージ（ＰＣから見た場合、ＰＣの外部記憶装置）として機能する（ステップＡ３１６）。そして、通信が終了するまで（ステップＡ３１７）、カメラがストレージとして機能する。ステップＡ３１５において、ＵＳＢによるデータ通信がない場合においては、ＰＣからＵＳＢが切断されるまで（ステップＡ３１８）、所定期間毎にＵＳＢによるデータ通信の有無（又は通信の確立）が監視される。
【００２６】
ステップＡ３２におけるＰＣ−カメラ切断後処理を図５を参照して説明する。まず、撮影モードであるかどうかが検出される（ステップＡ３２１）。そして、撮影モードであることが検出されたのであれば、ピクセルマッピングを中断する（ステップＡ３２２）。ステップＡ３２１において、動作モードが撮影モード以外のモードであることを検出した場合には、欠陥の検出と記録が終了するまで（ステップＡ３２３）、欠陥検出・記録処理（ステップＡ３２４）と現在作業中である旨の告知を行う（ステップＡ３２５）。なお、この告知は、接続中である旨の告知を行っても良いことは勿論であり、また、告知を音声や発光等で行うなど、他の実施形態にも同様に適用可能である。
【００２７】
次に、本発明の第２の実施の形態を説明する。図６は、第２の実施形態に係る動作を示すフローチャートである。本第２の実施形態においては、ＰＣ−カメラ接続時処理の時に、特定コマンドを検出するようにしている。なお、第２の実施形態において、カメラの構成は、図１と同じであるので、図示及び説明は省略する。また、第１の実施形態と同じ処理については、特に、その処理の流れなどは図示及び説明を書略する。
【００２８】
まず、図６（ａ）に示すように、ＰＣ−カメラ間の接続が検出されると（ステップＢ１）、詳細は後述するＰＣ−カメラ接続時処理が行われる（ステップＢ２）。次に、ピクセルマッピング解析処理を実行するためのコマンド（特定コマンド）が検出されて（ステップＢ３）、当該コマンドに基づいてピクセルマッピング解析処理が開始される（ステップＢ４）。
【００２９】
図６（ａ）のステップＢ２における、ＰＣ−カメラ接続時処理は次のように行われる。図６（ｂ）に示すように、まず、カメラ内部のメモリ等の初期化が行われる（ステップＢ２１）。次に、カメラからＰＣへ接続が行われた旨（すなわち、通信が確立した旨）の応答が返されると（ステップＢ２２）、ＰＣは、カメラをストレージとして認識することにより、接続時処理が終了して、双方向通信が可能になる。
【００３０】
そして、特定コマンド検出後の図６（ａ）のステップＢ４におけるピクセルマッピング処理は、次のように行われる。図６（ｃ）に示すように、まず、メカニカルシャッタが閉じられてピクセルマッピング撮影が行われる（ステップＢ４１）。その後に、先に述べた図２（ｃ）のステップＡ３１及びステップＡ３２で述べたようなＰＣ−カメラ接続中処理と同様のＰＣ−カメラ接続中処理（ステップＢ４２）とその後に続くるＰＣ−カメラ切断後処理（ステップＢ４３）が実行される。
【００３１】
図７を参照して、第３の実施形態を説明する。第３の実施形態において、ＰＣ−カメラ接続中処理以外は、第１の実施形態及び第２の実施形態と同様であるので、同様な部分については、図示及び説明を省略する。本第３の実施形態では、ＰＣ−カメラ間の接続を切断した時点からピクセルマッピングを開始するようにしている。
【００３２】
まず、接続中処理が開始すると、ＰＣ−カメラ間の接続検出が行われる（ステップＣ１）。そして、接続されたことが検出されると、ＰＣ−カメラ間の接続時処理が行われ、ＰＣとカメラとの接続が確立する（ステップＣ２）。次に、カメラのＵＳＢが切断されているかどうかを適宜監視し（ステップＣ３）、切断されていなければ、ＵＳＢデータ通信の有無を監視する（ステップＣ５）。
【００３３】
ステップＣ５において、ＵＳＢデータ通信がある場合には、カメラはＰＣ側から見たときにストレージとして機能（ステップＣ６）し、通信が終了するまでＰＣとのデータ通信を行う（ステップＣ７）。ステップＣ５において、ＵＳＢデータ通信がない場合には、カメラＵＳＢの切断が検出されたかどうかの監視が行われ（ステップＣ３）、ＵＳＢの切断が検出された時点で、ピクセルマッピング処理を開始する（ステップＣ４）。
【００３４】
なお、他の動作は、第１の実施形態及び第２の実施形態と同様であるが、第３の実施形態においては図８に示すように、ピクセルマッピング解析処理は、ピクセルマッピング用撮影（ステップＣ４１）の後に、ＰＣ−カメラ切断後処理（Ｃ４２）を実行することになる。
【００３５】
上記の各実施形態から下記の発明が抽出できる。なお、下記の各発明は単独で適用しても良いし、適宜組み合わせて適用しても良い。
【００３６】
本発明の第１の局面に係る撮像装置は、撮像素子と、外部装置と通信を行うための通信手段とを備えた撮像装置であって、前記外部装置が前記通信手段に接続されたことを検出する接続検出手段と、前記接続検出手段による接続検出の結果に応じて、前記撮像素子の固定パターンノイズデータの取得動作を開始するための指示をする指示手段と、前記指示手段の指示に基づいて、前記撮像素子の固定パターンノイズデータを取得する取得手段と、前記指示手段による動作で得られた固定パターンノイズデータを新たなパターンノイズデータとして記憶する記憶手段とを具備することを特徴とする。後発的に発生する画素欠陥に対しても、特別な操作を必要としない。加えて、撮影の際にシャッタチャンスを逃すことなく画質の良い画像が得られる。
第１の局面において、好ましい実施態様は以下の通りである。
（１）  前記指示手段は、前記取得手段による固定パターンノイズデータを取得するための撮影動作終了後に通信確立の指示を行うこと。
（２）  前記指示手段による固定パターンノイズデータの取得動作を開始した後は、その後の接続検出の結果に関わらず、前記取得手段は、固定パターンノイズデータを取得すること。通信が短時間であっても、撮影動作に影響することなく固定ノイズパターンデータを更新できる。
（３）  前記取得手段による固定パターンノイズデータの取得動作中に特定の命令があった時には、固定パターンノイズデータの取得を中断すること。シャッタチャンスを優先して確保した自動固定パターンノイズデータ更新動作が可能となる。
【００３７】
本発明の第２の局面に係る撮像装置は、撮像素子と、挿脱可能であり画像データを記録可能かつ読み出し可能な記録媒体とを備えた撮像装置であって、前記撮像素子で撮像された画像データを一時記憶する記憶手段と、外部装置と通信を行うための通信手段と、前記外部装置が前記通信手段に接続されたことを検出する接続検出手段と、前記記憶手段が接続された第１のバスラインと、前記通信手段と前記記録媒体が接続された第２のバスラインと、前記接続検出手段による検出結果に基づいて前記撮像素子の固定パターンノイズデータの取得動作のための撮影データを前記第１のバスラインを経由して前記記憶手段に一時記憶する第１の制御と、前記記録媒体に記録された画像データを前記第２のバスラインを経由して前記外部装置に読み出す第２の制御とを並列的に実行する制御手段とを具備することを特徴とする。カメラの固定パターンノイズデータの更新処理と外部機器に対するストレージとしての機能の処理とを並列して実行することができるので、固定パターンノイズデータの更新処理を高速に実行することができる。
第１及び第２の局面において、好ましい実施態様は以下の通りである。
（１）  前記接続検出手段による接続の告知と前記記憶手段へ取得された固定パターンノイズデータの記憶の告知とを行う告知手段を更に具備すること。
（２）  前記記憶手段へ取得された固定パターンノイズデータの記憶動作がなされている間は、前記接続検出手段による検出結果に関わらず、継続して告知する告知手段を更に具備すること。
【００３８】
本発明の第３の局面に係る撮像装置は、撮像素子と、外部装置と通信を行うための通信手段とを備えた撮像装置であって、前記外部装置との接続が確立した状態において、前記外部装置から特定の要求を受け付けた時に、前記撮像素子に対して固定パターンノイズの取得動作の開始を指示する指示手段と、前記指示手段の指示に基づいて、前記撮像素子の固定パターンノイズデータを取得する取得手段と、前記取得手段による取得動作で得られた固定パターンノイズを新たなノイズデータとして記憶する記憶手段とを具備することを特徴とする。引き続いて撮像装置へのアクセスを受ける確率の低い命令の後に固定パターンノイズデータの更新処理を行うようにしたので、撮影処理時間を確保することができる。
【００３９】
本発明の第４の局面に係る撮像装置は、撮像素子と、外部装置と通信を行うための通信手段とを備えた撮像装置であって、前記外部装置と前記通信手段との接続が断たれたことを検出する接続断検出手段と、前記接続断検出手段で接続断を検出した後に、前記撮像素子の固定パターンノイズデータの取得動作を開始するための指示をする指示手段と、前記指示手段の指示に基づいて、前記撮像素子の固定パターンノイズデータを取得する取得手段と、前記取得手段による取得動作で得られた固定パターンノイズを新たなノイズデータとして記憶する記憶手段とを具備することを特徴とする。通信動作が終了した後に固定パターンノイズデータの更新処理を行っているので、次の動作の発生前までの空き時間を有効利用できる。
【００４０】
本発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【００４１】
また、例えば各実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【００４２】
【発明の効果】
本発明によれば、ピクセルマッピングのための特別な操作を要せず、しかも撮影動作や再生動作に影響を与えることのない撮像装置を提供することができる。
【図面の簡単な説明】
【図１】本発明に係る電子カメラの構成例を示したブロック図。
【図２】本発明の第１の実施形態に係る撮像装置の動作を示すフローチャート。
【図３】図２のステップＡ３１におけるＰＣ−カメラ接続中処理の詳細を示すフローチャート。
【図４】ＰＣ−カメラ接続中処理において、カメラがストレージとして機能する場合におけるフローチャート。
【図５】図２のステップＡ３２におけるＰＣ−カメラ切断後処理の詳細を示すフローチャート。
【図６】第２の実施形態に係る動作を示すフローチャート。
【図７】第３の実施形態に係る動作を示すフローチャート
【図８】図７のステップＣ４におけるピクセルマッピング解析処理の流れを示すフローチャート。
【符号の説明】
１１ａ…レンズ
１１ｂ…シャッタ
１１…撮影レンズ系
１２…撮像素子
１３…撮像回路
１４…Ｄ変換器
２０…着脱メモリ
２１…インターフェース
２２…圧縮伸長回路
２５…内蔵メモリ
２６…バッファメモリ
３０…画像表示ＬＣＤ
３１…ビデオメモリ
３２…ビデオ出力回路
３３…外部ビデオ信号出力端子
３５…外部装置接続端子
３６…外部インターフェース
４１…モードＬＣＤ
４２…ストロボ発光部
４３…不揮発性メモリ
４５…システムコントローラ
４６…操作部
４７…電源部
【図１】
2004193969.tif 000003
【図２】
2004193969.tif 000004
【図３】
2004193969.tif 000005
【図４】
2004193969.tif 000006
【図５】
2004193969.tif 000007
【図６】
2004193969.tif 000008
【図７】
2004193969.tif 000009
【図８】
2004193969.tif 000010